(57)【要約】【課題】遊技者自らが即座に球詰りを解消できる構成を備えたパチンコ遊技機を提供する。【解決手段】遊技機本体３の表面に配設された球詰まり解消操作部２４ａ〜２４ｃを操作することにより、球流下作動部が、球タンク１５内の球詰まりを解消する作動を行うようにした球詰まり解消手段を備えたものである。かかる構成にあっては、球タンク内で遊技球が滞留した場合には、球詰まり解消操作部の操作により、遊技者自身が球詰まりを解消できる。このため、賞球や借り球が供給されないことによるトラブルを、遊技者が積極的かつ迅速に解消することができて、遊技の継続的な進行が確保されることとなる。【選択図】　図１
2004141526.tif 000002
【特許請求の範囲】
【請求項１】
遊技機本体裏面に、島設備の補給樋から供給される遊技球を受け入れる球タンクと、該球タンク内の遊技球を下方へ流下させる球通路とを備えたパチンコ遊技機において、
遊技機本体表面に配設されて、遊技者により操作される球詰まり解消操作部と、
球詰まり解消操作部の操作に起因して作動し、球タンク内の遊技球の流動不良を解消する球流下作動部とを具備する
球詰まり解消手段を備えたことを特徴とするパチンコ遊技機。
【請求項２】
球流下作動部が、球タンク内に配設され、球詰まり解消操作部の操作に起因して、球タンク内の遊技球と接触して該遊技球を転動させる均し作動を行う遊技球接触端部を備えるものである請求項１記載のパチンコ遊技機。
【請求項３】
球流下作動部が、遊技機本体の表裏を貫通し、球タンク内に臨む後部に球接触端部が形成された球均し杆により構成され、
さらに球詰まり解消操作部が、遊技機本体表面側に配設されて、球均し杆の前端部に固着された操作つまみにより構成されてなる請求項２記載のパチンコ遊技機。
【請求項４】
球均し杆が、遊技機本体の表裏を貫設された左右方向の摺動孔に挿通され、球均し杆の前端部に固着されたスライド操作つまみを左右移動操作することにより、球接触端部が球タンク内で摺動孔に沿って左右移動するものである請求項３記載のパチンコ遊技機。
【請求項５】
球均し杆が、遊技機本体の表裏を回動可能に貫通し、かつ球詰まり解消操作部が、遊技機本体表面側に配設されて、球均し杆の前端部に固着された回動操作つまみであり、該回動操作つまみを回動操作することにより、球接触端部が球タンク内で回動するものである請求項３記載のパチンコ遊技機。
【請求項６】
球詰まり解消操作部が、遊技機本体表面側に配設されたオン・オフスイッチからなり、
球流下作動部が、球タンク内に臨む球接触端部を備えた球均し杆と、球タンクまたはその周囲に固定され、かつ球均し杆に連繋し、オン・オフスイッチの切換操作により駆動制御されて、球均し杆を球均し駆動する電気的駆動源とにより構成された請求項２記載のパチンコ遊技機。
【請求項７】
球流下作動部が、球タンク内に臨む球接触端部を備え、かつ球タンクまたはその周囲に回動可能に軸支される球均し杆と、球タンクまたはその周囲に固定され、かつ球均し杆に連繋し、オン・オフスイッチの切換操作により駆動制御されて、球均し杆を回動する駆動モータとにより構成した請求項６記載のパチンコ遊技機。
【請求項８】
球タンク及び／又は該球タンク内の遊技球を下方へ流下させる球通路の内部の少なくとも一部を、遊技機本体の表面側から視認可能とする視認手段を備えている請求項１乃至請求項７のいずれかに記載のパチンコ遊技機。
【発明の詳細な説明】
【０００１】
【発明の属する技術分野】
本発明は、遊技機本体裏面の球タンクで発生した遊技球の球詰りを、遊技機本体の表面側から解消し得るようにしたパチンコ遊技機に関する。
【０００２】
【従来の技術】
遊技球が転動流下する遊技領域が区画形成された遊技盤を具備する遊技機本体の裏面側に、島設備の補給樋から供給される遊技球を受け入れる球タンクと、この球タンク内の遊技球を流下させる球通路とを備えたパチンコ遊技機は良く知られている。
【０００３】
前記球タンクは、遊技盤の裏面に対設された機構板の上部位置に固定されており、この球タンク内の遊技球は、球タンクに配設された球通路によって下方へ流下する。さらに、流下する遊技球は、球払出装置に導かれ、入賞の発生や球借り操作に起因して、この球払出装置から上受け皿の球出口へ案内される。
【０００４】
ところで、球タンクに貯留されていた遊技球が、該球タンクの球出口に流入する際にあって、急激に球通過可能な領域が狭くなるため、球詰りが発生する場合がある。このような球詰りが発生すると、賞球として払い出されるべき遊技球や、ＣＲ機において球借り操作に基づいて貸し出される遊技球が上受け皿の球出口から排出されなくなり、発射する遊技球がなくなるため、遊技に支障を来すこととなる。この場合に、遊技者は機台を叩いたり、遊技場の従業員を呼んで対処することとなるが、前者にあっては、周辺の遊技者に不快感を与えたり、遊技者相互のトラブルを誘発し易い。また、後者にあっては、遊技の連続性が阻害され、いらいら感を生じさせることとなる。また、この種の球詰まりの発生は、簡単に復旧する場合がほとんどであり、遊技の継続性を阻害された不満感との落差に、かえって苛立ちを増幅させることともなる。
ここで、球詰まりを自動的に解消する手段として、球通路にバイブレータ装置を設置し、球通路を振動させて球詰りを防ぐ構成が提案されている（例えば、特許文献１参照）。
【０００５】
【特許文献１】
特開平８−２８０９０２号公報
【０００６】
【発明が解決しようとする課題】
上述の文献に示される構成は、タンクスイッチが賞球を検出し、かつ賞球検出スイッチが賞球を検出しない場合に、球詰まりとして判定し、バイブレータにより下タンクを振動させて、球詰まりを解消しようとするものである。
ところで、かかる構成は、下タンクを振動させて、外力により間接的に遊技球の流下を促進するものであり、滞留する遊技球に直接触れて遊技球を円滑に流通させる構成ではないため、確実に球詰りを解消し得るものではない。また、パチンコ遊技機自体が自動的に、球詰まり処理を行うものであり、球詰まりの解消に遊技者が直接関与することはできない。従って、球詰まりが解消されな場合には、従来と同様に遊技場の係員を呼んで復旧作業を任せることとなり、遊技の継続性が阻害され、時間ロスとなってしまう。
そこで本発明は、遊技者自らが即座に球詰りを解消できるパチンコ遊技機を提供することを目的とするものである。
【０００７】
【課題を解決するための手段】
本発明は、遊技機本体裏面に、島設備の補給樋から供給される遊技球を受け入れる球タンクと、該球タンク内の遊技球を下方へ流下させる球通路とを備えたパチンコ遊技機において、遊技機本体表面に配設されて、遊技者により操作される球詰まり解消操作部と、球詰まり解消操作部の操作に起因して作動し、球タンク内の遊技球の流動不良を解消する球流下作動部とを具備する球詰まり解消手段を備えたことを特徴とするパチンコ遊技機である（請求項１）。
【０００８】
かかる構成にあって、球タンク内で遊技球が滞留した場合には、球詰まり解消操作部の操作により、球流下作動部を作動させることができ、これにより、遊技球が円滑に球タンクの球出口又は球通路を通過することが可能となる。ここで、球詰まり解消操作部は、遊技機本体表面の遊技者が操作可能な位置に配設されるため、球詰まり発生時に遊技者自らが解消することが可能となる。かかる構成にあっては、球流下作動部として、次の構成の他、球タンクや、タンクレール等に外力を加える構成が提案されるものである。
この球流下作動部の最適な構成の一つとしては、球タンク内に配設され、球詰まり解消操作部の操作に起因して、球タンク内の遊技球と接触して該遊技球を転動させる均し作動を行う遊技球接触端部を備えるもの（請求項２）が提案される。
かかる構成にあって、球詰まり解消操作部の操作により、球接触端部を球タンク内又は球通路内で回転又は上下左右方向等に動かすと、球接触端部が滞留する遊技球に直接触れて攪乱することとなり、遊技球が転動し、滞留状態が崩れて、遊技球が均される。これにより、遊技球が円滑に球タンクの球出口又は球通路を通過することが可能となる。
【０００９】
また、かかる構成にあって、球流下作動部が、遊技機本体の表裏を貫通し、球タンク内に臨む後部に球接触端部が形成された球均し杆により構成され、さらに球詰まり解消操作部が、遊技機本体表面側に配設されて、球均し杆の前端部に固着された操作つまみにより構成されてなるもの（請求項３）が提案される。
かかる構成にあっては、球詰まり解消操作部が球均し杆と一体となる。したがって、手操作により球詰まり解消操作部を作動させることにより、球均し杆の球接触端部を自在に動かすことが可能となる。
【００１０】
ここで、球均し杆が、遊技機本体の表裏を貫設された左右方向の摺動孔に挿通され、球均し杆の前端部に固着されたスライド操作つまみを左右移動操作することにより、球接触端部が球タンク内で摺動孔に沿って左右移動するもの（請求項４）とすることができる。かかる構成にあっては、手操作により、球接触端部を、球均し杆を摺動孔に沿って、随意に水平方向へ往復移動することができる。
【００１１】
また、同じく上述の構成として、球均し杆が、遊技機本体の表裏を回動可能に貫通し、かつ球詰まり解消操作部が、遊技機本体表面側に配設されて、球均し杆の前端部に固着された回動操作つまみであり、該回動操作つまみを回動操作することにより、球接触端部が球タンク内で回動するものとすることができる（請求項５）。かかる構成にあっては、手操作により、球接触端部を、随意に回動することができる。
【００１２】
さらには、球詰まり解消操作部が、遊技機本体表面側に配設されたオン・オフスイッチからなり、
球流下作動部が、球タンク内に臨む球接触端部を備えた球均し杆と、球タンクまたはその周囲に固定され、かつ球均し杆に連繋し、オン・オフスイッチの切換操作により駆動制御されて、球均し杆を球均し駆動する電気的駆動源とにより構成（請求項６）することもできる。かかる構成にあっては、遊技者が球詰まり解消操作部をオン・オフ操作（切換操作）することにより、自動的に均し駆動される。また球詰まり解消操作部は、球均し杆と機械的に連結されていないから、自在に位置設定することができる。
かかる手段としてとして、球流下作動部が、球タンク内に臨む球接触端部を備え、かつ球タンクまたはその周囲に回動可能に軸支される球均し杆と、球タンクまたはその周囲に固定され、かつ球均し杆に連繋し、オン・オフスイッチの切換操作により駆動制御されて、球均し杆を回動する駆動モータとにより構成したもの（請求項７）が提案される。かかる構成にあっては、駆動モータの回動軸に、球均し杆を連結するだけで良いから、構造が簡単となる。その他、球均し杆を駆動する構成として、球タンク上を往復駆動走行させる構成であっても良い。
【００１３】
上述の各構成にあって、球タンク及び／又は該球タンク内の遊技球を下方へ流下させる球通路の内部の少なくとも一部を、遊技機本体の表面側から視認可能とする視認手段を備えているもの（請求項８）としても良く、この場合には、該視認手段により球詰まりを確認して球詰まり解消操作部を操作し、その状態の改善を確認することができ、これにより、球タンク内の均し操作を無駄のないものとすることができる。
【００１４】
【発明の実施の形態】
パチンコ遊技機１は、図１に示すように、島設備に固定される長方形状の外枠２と、この外枠２の前面開口部分を覆う遊技機本体３とからなる。この遊技機本体３は、ほぼ正方形状の開口部が中央上部に形成された前枠６を備え、この前枠６の一側縁がヒンジ部材４を介して外枠２に開閉可能に枢着されている。遊技機本体３には、遊技盤８が前枠６の開口部に嵌合された状態で取り付けられており、さらに表面側には、遊技盤８を覆う透明板９を具備する扉枠１０が、遊技盤８の前方に位置させて前枠６の開口部に開閉可能に取り付けられている。前記遊技盤８は、遊技球が転動流下する遊技領域がほぼ円形のレールにより区画形成されてなる。
【００１５】
遊技機本体３の表面側には、扉枠１０の下部に位置させて上受け皿１１’を具備する上皿パネル１１と、この上皿パネル１１の下部に位置させて下受け皿１２’を具備する下皿パネル１２と、この下皿パネル１２の右側に突出する発射ハンドル１３を有する発射装置（図示省略）とが備えられている。なお、前記扉枠１０と上皿パネル１１はそれぞれその一側縁がヒンジ部材（図示省略）を介して前枠６の表面側部に枢結されており、メンテナンス時等において片開き状にそれぞれ開閉し得るようになっている。
【００１６】
一方、遊技機本体３の裏面側には、図２又は図３に示すように、遊技盤８の背面に当接させるようにして機構板１４が対設されている。この機構板１４はその一側縁が前枠６の裏面側部にヒンジ部材（図示省略）を介して開閉可能に枢結されている。この機構板１４には、その上部に球タンク１５が取り付けられており、図示しない島設備の補給樋から可撓パイプを介して供給される遊技球をこの球タンク１５内に受け入れ得るようになっている。また、機構板１４には、球タンク１５内の遊技球を流下させる球通路１６が取り付けられている。この球通路１６は、球タンク１５の底壁に開口された球出口１７から排出される遊技球を一列状に整列させて球払出装置１８に導く上部通路１９ａと、球払出装置１８から払い出される遊技球をさらに下方に導く下部通路１９ｂとによって構成されている。この下部通路１９ｂは途中で二股状に分岐され、その一方は遊技球を上受け皿１１’への球出口２０に導く払出し流路２１となっており、他方はこの払出し流路２１から溢れた遊技球を下受け皿１２’への球出口２２に導く払出し流路２３となっている。
【００１７】
ここで、正常な状態にあっては、島設備の補給樋から順次供給される遊技球によって球タンク１５内が満たされており、この球タンク１５から球払出装置１８に至る球通路１６の上部通路１９ａ内にも遊技球が常時滞留している。一方、球払出装置１８から遊技球を下方に導く球通路１６の下部通路１９ｂ内は、払い出された遊技球が即座に球出口２０または球出口２２から流出するため、遊技球が滞留することはない。
【００１８】
次に本発明の要部について説明する。
本発明は、球タンク１５内の遊技球が詰まった場合に、遊技機本体３の表面側に配設した球詰まり解消操作部２４ａ〜２４ｃを操作することにより、球タンク１５内に臨む球接触端部２６ａ〜２６ｃを動作させて、その球詰まりを解消するようにした球詰まり解消手段球を具備するものである。
【００１９】
その第一の実施形態を図１〜図７に従って説明する。
この第一の実施形態は、球詰まり解消手段を、遊技機本体３の表裏を貫通して、球タンク１５内に臨む後端部に球接触端部２６ａを形成した球均し杆２５ａと、遊技機本体表面側に突出した該球均し杆２５ａの前端部に固着されたスライド操作つまみからなる球詰まり解消操作部２４ａとにより構成したものである。さらに詳しくは、この球均し杆２５ａは、遊技機本体３の表面側と裏面側とを貫設された左右方向の摺動孔２７に挿通され、表面側に配設された球詰まり解消操作部（操作つまみ）２４ａを左右移動操作することにより、球接触端部２６ａが球タンク１５内で摺動孔２７に沿って左右移動するものである。
【００２０】
ここで、摺動孔２７は遊技機本体３の上部前面に幅方向に沿って固定された摺動パネル板７に形成され、この摺動孔２７に球均し杆２５ａが前後方向に貫通し、その前端部に固着された、スライド操作つまみからなる球詰まり解消操作部２４ａを、摺動パネル７の前面で左右方向移動可能としている。一方、この球均し杆２５ａの後端部に設けられた球接触端部２６ａは下方へ垂直状に突成され、図４で示すように、球詰まり解消操作部２４ａを左右に移動すると、これに追随して、接触端部２６ａが移動し、球タンク１５内で滞留した遊技球に直接接触して、滞留する遊技球を攪拌することとなる。
【００２１】
この球接触端部２６ａの構成を、図５〜図７に従って説明する。
図５は第一例を示し、球均し杆２５ａの主杆部２５’の端部にはＬ形の均し片３０ａが螺子３２で固定され、その垂下片を球接触端部２６ａとしている。この構成は、一本の球接触端部２６ａの往復移動により、球詰まりを防止するものであるから、遊技球から受ける抵抗が小さく、作業負荷が小さくて済む。
【００２２】
また、図６は第二例を示し、主杆部２５’の端部には、前後方向の板状翼片が連成された均し片３０ｂが螺子固定され、その板状翼片を球接触端部２６ａとしている。この球接触端部２６ａは、球タンク１５の球出口１７側へ移動した場合に、多くの球を捕捉できるよう、内側へ緩傾斜させている。この構成は、板状翼片であるために、遊技球との接触面が広く確保され、大きな均し作用を得ることができる。
【００２３】
さらに、図７は第三例を示し、主杆部２５’の端部には、図中３本の垂下片が前後方向へ等間隔で列設された熊手状の均し片３０ｃが螺子固定され、その各垂下片を球接触端部２６ａとしている。この構成は、接触端部２６ａの数が多いため、大きな均し作用を得ることができる。また、接触端部２６ａが間欠的に突成されているため、遊技球から過剰な抵抗を受けることもなく、遊技球を効率的に攪乱することが可能となる。
【００２４】
図５〜図７のいずれの均し片３０ａ〜３０ｃも、主杆部２５’に対して、螺子３２により脱着可能に固定されるものであるから、遊技場側が、種々の均し片３０ａ〜３０ｃのうちいずれかを選択的に取り付けたり、または破損に対して容易に交換することが可能となる。
【００２５】
而して、かかる各構成にあって、遊技者が、球詰まり解消操作部２４ａを摺動孔２７に沿って、左右移動操作すると、球接触端部２６ａが球タンク１５内で左右移動し、遊技球が均される。また、球出口１７側への移動により、遊技球を該球出口１７側へ案内することとなり、これにより球タンク１５内での球詰まりが解消される。特に、手操作により、球接触端部２６ａを、随意に水平方向へ往復移動することができものであるから、球タンク１５内の球詰まりを広い範囲に渡って均すことができる。
【００２６】
かかる構成のように、球接触端部が左右方向へ移動する他の構成として、球均し杆を遊技機本体の表裏に貫通すると共に、該遊技機本体に球均し杆を傾動可能に軸支し、球均し杆の前端に設けた遊技機本体の表面側の球詰まり解消操作部を左右に移動すると、その支軸を中心として、球接触端部が左右方向へ回動する構成としても良い。これによれば、球接触端部を右移動すると、球接触端部が左移動することとなる。
【００２７】
一方、上述の構成は、連動杆２５を左右方向へ往復移動して、接触端部２６ａを作動させ、遊技球の滞留を解消するものであるが、連動杆２５を斜め、上下に動かしたり、これらを組み合わせるなど、種々の動きを適用することが可能である。要は、遊技球を攪拌し得るものであればよい。
【００２８】
図８は、球詰まり解消手段の第二実施形態を示す。
この構成は、球詰まり解消操作部２４ｂを回動操作することにより、球均し杆２５ｂの後端部に形成した球接触端部２６ｂが球タンク１５内で回動するものである。すなわち、球均し杆２５ｂを遊技機本体の表裏を回動可能に貫通して前後方向に配設し、その遊技機本体表面側でダイヤル状回動操作つまみからなる球詰まり解消操作部２４ｂを固着する。また、球均し杆２５ｂの先端は、直角状に突出した球接触端部２６ｂが連成される。
【００２９】
かかる構成にあって、遊技者が、遊技機本体３の表面側で、球詰まり解消操作部２４ｂを指操作により回動すると、球接触端部２６ｂが球タンク１５内で回動して、球タンク１５内の遊技球が攪拌され、球詰まりが解消されることとなる。
また、かかる構成にあっては、遊技本体３の表面側で、球詰まり解消操作部２４ｂの作動領域を広く確保する必要がないから、配置設計が容易となる
【００３０】
図９，１０は、球詰まり解消手段の第三実施形態を示す。
かかる構成は、球詰まり解消手段を、遊技機本体３の表面側に配設されたオン・オフスイッチからなる球詰まり解消操作部２４ｃと、球タンク１５の壁部に回動可能に軸支された球均し杆２５ｃと、球タンク１５の壁部に固定され、かつ駆動軸を球均し杆２５ｃの外端と連繋した駆動モータ２９とで構成される。この球均し杆２５ｃの球タンク１５内に臨む後端部には、直角状に突出した球接触端部２６ｃが連成される。そして、球詰まり解消操作部２６ｃをオン操作すると、駆動モータ２９が駆動し、球均し杆２５ｃが一方向または往復方向に回転する。これにより、球接触端部２６ｃが球タンク１５内で回動して、球タンク１５内の遊技球が攪拌され、球詰まりが解消される。
【００３１】
かかる構成にあっては、オン・オフスイッチからなる球詰まり解消操作部２６ｃを駆動モータ２９と電気的に接続すればよいから、遊技機本体３の表裏を貫通させて、摺動孔や連通孔を形成する必要が無く、加工や配置設計が容易となる。
また、球詰まり解消操作部２６ｃは、発信装置内蔵の構成として、駆動モータ２９をコードレスにより駆動制御するものとしても良い。
【００３２】
ところで、上述の構成にあっては、遊技者は球詰まりにより、賞球が発生していないことを知得してから、球詰まり解消操作部２４ａ〜２４ｃを操作することとなるが、図９で示すように、球タンク１５又は該球タンク内の遊技球を下方へ流下させる球通路１６の内部の少なくとも一部を、遊技機本体３の表面側から視認可能とする窓孔部３１を備えた構成とすることができる。かかる構成にあっては、窓孔部３１により遊技球の球詰まりを確認できるから、賞球又は球借りに影響する前に、該球詰まりを解消することができる。
【００３３】
この窓孔部３１は、遊技機本体にあって、遊技盤８に左右に長い透孔を形成し、かつ球タンク１５の前面部に、内部透視可能な透明ガラス，透明な合成樹脂等の透明材料を配設するなどにより構成される。そしてこれにより、球タンク１５内での球詰まりの発生を、遊技機本体３の表面側から容易に発見することができる。
【００３４】
【発明の効果】
本発明は、遊技機本体表面に配設されて、遊技者により操作される球詰まり解消操作部と、球詰まり解消操作部の操作に起因して作動し、球タンク内の遊技球の流動不良を解消する球流下作動部とを具備する球詰まり解消手段を備えたものである（請求項１）から、球タンク内で遊技球が滞留した場合には、球詰まり解消操作部の操作により、球流下作動部を作動させることができ、球詰まりに対応して、遊技場の係員を呼ぶことなく、遊技者自体が迅速に対応できる。このため、賞球や借り球が供給されないことによるトラブルを、遊技者自身により積極的かつ迅速に解消することができ、遊技の継続的な進行が確保され、球詰まりによる苛立ちを大きく緩和することができる。また、遊技場の係員の作業も軽減され、遊技場の負担が緩和される。
この球流下作動部の最適な構成の一つとしては、
また、球タンク内に配設され、球詰まり解消操作部の操作に起因して、球タンク内の遊技球と接触して該遊技球を転動させる均し作動を行う遊技球接触端部を備えるもの（請求項２）にあっては、球接触端部を球タンク内又は球通路内で回転又は上下左右方向等に動かすと、球接触端部が滞留する遊技球に直接触れて攪乱することとなり、遊技球が転動し、滞留状態が崩れて、遊技球が均され、確実に球タンク内の球詰まりが解消される。
【００３５】
ここで、遊技機本体表面側に突出した前端部に球詰まり解消操作部を設け、球タンク内に臨む後端部に球接触端部を形成した球均し杆を用いたもの（請求項３）にあっては、遊技者による機械的操作により、球詰まりの状態に対応した操作が可能となって、確実に球詰まりが解消されるとともに、構造が簡単となる。
【００３６】
上述の構成として、球均し杆を、左右方向の摺動孔に沿って球詰まり解消操作部を左右移動操作することにより、球接触端部が球タンク内で左右移動するものとした構成（請求項４）にあっては、手操作により、球接触端部を、随意に水平方向へ往復移動することができ、球タンク内の球詰まりを広い範囲に渡って均すことができる。
【００３７】
また、球均し杆を、球詰まり解消操作部が回動操作つまみからなり、該球詰まり解消操作部を回動操作することによりに、球接触端部が球タンク内で回動するものとした構成（請求項５）にあっては、手操作により、球接触端部を、随意に回動平方向へ往復移動することができ、遊技本体前面にあって、球詰まり解消操作部の作動領域を広く確保する必要がないから、配置設計が容易となる。
【００３８】
さらに、球詰まり解消手段が、遊技機本体表面側に配設されたオン・オフスイッチからなる球詰まり解消操作部を備え、該球詰まり解消操作部の切換操作により駆動制御される電気的駆動源により、球接触端部を備えた球均し杆を駆動するようにした構成（請求項６）にあっては、遊技者が球詰まり解消操作部をスイッチ操作することにより、自動的に均し駆動がなされ、面倒な手操作が省かれる利点がある。
【００３９】
かかる構成として、球流下作動部が、球タンク内に臨む球接触端部を備え、かつ球タンクまたはその周囲に回動可能に軸支された球均し杆と、球タンクまたはその周囲に固定され、かつ球均し杆に連繋し、球詰まり解消操作部の切換操作により駆動制御されて、球均し杆を回動する駆動モータとからなるもの（請求項７）にあっては、球均し杆の作動領域を広く確保する必要が無く、かつ駆動モータの回動軸に、球均し杆を連結するだけで良いから、構造が簡単となる。また、球詰まり解消操作部の配置場所が限定されず、この球詰まり解消操作部球詰まりが発生しない限りは用いられないものであることから、目に付かない場所に配設することもでき、配置設計が容易となる。
【００４０】
かかる各構成にあって、球タンク及び／又は該球タンク内の遊技球の状態を、遊技機本体の表面側から視認可能とする視認手段を備えた構成（請求項８）にあっては、該視認手段により球詰まりを確認して球詰まり解消操作部を操作し、その状態の改善を確認することができ、状況判断が容易となり、かつ入賞の発生が無くなる前に、迅速に球詰まり解消操作部の操作を行うことができ、さらには遊技球の状態を確認しながら均し操作をすることが可能となって、適格に均し操作を行うことができる。
【図面の簡単な説明】
【図１】第一の実施形態にかかるパチンコ遊技機の斜視図である。
【図２】機構板の背面図である。
【図３】パチンコ遊技機を背部から視た上部斜視図である。
【図４】パチンコ遊技機の平面図と、その要部の拡大図である。
【図５】第一の実施形態の第一例を示すパチンコ遊技機を背部から視た上部斜視図である。
【図６】第一の実施形態の第二例を示すパチンコ遊技機を背部から視た上部斜視図である。
【図７】第一の実施形態の第三例を示すパチンコ遊技機を背部から視た上部斜視図である。
【図８】第二の実施形態にかかるパチンコ遊技機の斜視図である。
【図９】第三の実施形態に係るパチンコ遊技機の正面図である。
【図１０】第三の実施形態のパチンコ遊技機を背部から視た上部斜視図である。
【符号の説明】
１　パチンコ遊技機
３　遊技機本体
８　遊技盤
１５　球タンク
１６　球通路
２４ａ〜２４ｃ　球詰まり解消操作部
２５ａ〜２５ｃ　球均し杆
２６ａ〜２６ｃ　接触端部
２７　摺動孔
２９　駆動モータ
３０ａ〜３０ｃ　均し片
３１　窓孔部
【図１】
2004141526.tif 000003
【図２】
2004141526.tif 000004
【図３】
2004141526.tif 000005
【図４】
2004141526.tif 000006
【図５】
2004141526.tif 000007
【図６】
2004141526.tif 000008
【図７】
2004141526.tif 000009
【図８】
2004141526.tif 000010
【図９】
2004141526.tif 000011
【図１０】
2004141526.tif 000012